(57)【要約】【課題】グループウエア、知人、個人のスケジュール管理が一元的に管理するインターネットを利用したネットワーク電子手帳を提供する。【解決手段】ネットワーク４７上のカレンダへスケジュールのタイトル、日時、詳細の項目に区分けしたスケジュール情報を入力し閲覧するネットワーク電子手帳であって、共有情報記憶領域４３、個人情報記憶領域４５、及びイベント情報記憶領域４４を有するカレンダファイル４２と、ネットワーク４７を通じて受信するイベント情報をカテゴリ情報に基づいてスクリーニング処理を施し、イベント情報記憶領域４４に所定のカテゴリに属するイベント情報の書込みを許可するスクリーニング手段４６と、共有情報２３、個人情報２１、及びイベント情報２２を彩色又は明度により各々識別させてユーザ端末のディスプレイ上に表示させる情報識別手段７６と、を備える。【選択図】　　　　　図１
2004054799.tif 000002
【特許請求の範囲】
【請求項１】
ネットワーク上のカレンダへスケジュールのタイトル、日時、詳細の項目に区分けしたスケジュール情報を入力し閲覧するネットワーク電子手帳であって；
共有情報記憶領域、個人情報記憶領域、及びイベント情報記憶領域を有するカレンダファイルと；
前記ネットワークを通じて受信するイベント情報をカテゴリ情報に基づいてスクリーニング処理を施し、前記イベント情報記憶領域に所定のカテゴリに属するイベント情報の書込みを許可するスクリーニング手段と；
前記共有情報、個人情報、及びイベント情報を彩色又は明度により各々識別させてユーザ端末のディスプレイ上に表示させる情報識別手段と；
を備えるネットワーク電子手帳。
【請求項２】
ネットワーク上のカレンダへスケジュールのタイトル、日時、詳細の項目に区分けしたスケジュール情報を入力し閲覧するネットワーク電子手帳であって；
商用目的の共有情報記憶領域、個人情報記憶領域、及びイベント情報記憶領域を有する商用カレンダファイルと；
私用目的の共有情報記憶領域、個人情報記憶領域、及びイベント情報記憶領域を有する私用カレンダファイルと；
前記ネットワークを通じて受信するイベント情報をカテゴリ情報に基づいてスクリーニング処理を施し、前記商用目的又は私用目的のイベント情報記憶領域に所定のカテゴリに属するイベント情報の書込みを許可するスクリーニング手段と；
前記商用目的及び私用目的の共有情報、個人情報、及びイベント情報を合成し、彩色又は明度により共有情報、個人情報、及びイベント情報を識別させ、ユーザ端末のディスプレイ上に表示させる情報識別手段と；
を備えるネットワーク電子手帳。
【請求項３】
前記共有情報、個人情報、及びイベント情報を、前記スケジュール情報の日時に基づき前記ユーザ端末のディスプレイ上で所定方向に並んだ日付欄に対応する枠領域に表示させると共に、表示させた共有情報、個人情報、及びイベント情報に隣接する画面領域にスケジュールの出所を識別するマークを表示させる請求項１乃至請求項２の何れか１項に記載のネットワーク電子手帳。
【請求項４】
ユーザから送信された予約コードに対応する商品又はサービスの予約処理を遂行し、当該予約処理が完了した段階で、ネットワークを通じて電子手帳サーバ内に記憶されたユーザのカレンダページに前記商品又はサービスの提供日に対応するカレンダ日付欄へ予約完了情報を書込むネットワーク電子手帳のスケジュール予約方法。
【発明の詳細な説明】
【０００１】
【発明の属する技術分野】
本発明はインターネットを利用した電子手帳に係り、特に、カレンダに表示するスケジュールを管理する電子手帳に関するものである。
【０００２】
【従来の技術】
一般に、インターネットのポータルサイト上でユーザのスケジュール管理を提供するウエブサイトが存在している。このウエブサイトは、インターネットにアクセスできる環境とウェッブブラウザがあれば、世界中どこからでも利用できるものである。カレンダにはさまざまな機能があり、例えば、リマインダは、予定通知時刻を設定し、その時刻に電子メールやメッセンジャー機能で予定をユーザに通知する。共有カレンダは、カレンダに記憶した予定を、他の人に公開する。タイムガイドは、友人やプロ野球の予定などを自分のカレンダの上に重ねて表示する。また、それぞれのタイムガイドは「日表示」、「週表示」、「月表示」のどのページフォーマットで表示するかを設定している。
【０００３】
また、タイムガイドには種々のカテゴリが存在し、例えば、友人カテゴリは、カレンダを利用している友人の予定をユーザのカレンダの予定と並べて表示し確認することができる。祝祭日の設定は、祝祭日をカレンダに表示する。スポーツカテゴリは、プロ野球やＪリーグのチームを選択でき、カレンダに表示される各チームのスケジュール及び試合結果をクリックしウエブサイト内の各チームページ、試合結果ページにリンクする。
【０００４】
但し、共有カレンダはカレンダを他人に公開するためのもので、公開されているカレンダは他人が閲覧することはできるが、本人以外の者が編集することはできない。
【０００５】
このカレンダを使うと自分のスケジュール管理がインターネットを通じて自宅やオフィスから簡単かつ効率的に行える。予定の管理はもちろん、作業リストをまとめたり、知人に招待状を送ることも可能である。
【０００６】
【発明が解決しようとする課題】
しかしながら、前述の如く、従来の電子手帳のカレンダは本人以外の者が編集することはできない。また、ユーザが勤務する企業のグループウエアと独立して運営されているため、ビジネスとプライベートのスケジュールを一括して管理することが困難であった。
【０００７】
本発明は、斯かる実情に鑑み、グループウエア、知人、個人のスケジュール管理が一元的に管理するインターネットを利用したネットワーク電子手帳を提供しようとするものである。
【０００８】
【課題を解決するための手段】
上記目的を達成するために、請求項１に係る本発明によるネットワーク電子手帳は、例えば、図１及び図２に示すように、ネットワーク４７上のカレンダへスケジュールのタイトル、日時、詳細の項目に区分けしたスケジュール情報を入力し閲覧するネットワーク電子手帳であって、共有情報記憶領域４３、個人情報記憶領域４５、及びイベント情報記憶領域４４を有するカレンダファイル４２と、ネットワーク４７を通じて受信するイベント情報をカテゴリ情報に基づいてスクリーニング処理を施し、イベント情報記憶領域４４に所定のカテゴリに属するイベント情報の書込みを許可するスクリーニング手段４６と、共有情報２３、個人情報２１、及びイベント情報２２を彩色又は明度により各々識別させてユーザ端末のディスプレイ上に表示させる情報識別手段７６と、を備える。
【０００９】
ここで、共有情報記憶領域４３は、電子手帳内のグループウエアマネージャ４１からビジネス用途のスケジュールを書込む領域である。個人情報記憶領域４５は、ユーザ本人の個人情報をパーソナルコンピュータ、ＰＤＡ端末、携帯電話機を通じて書込む領域である。イベント情報記憶領域４４は、電子手帳の外からネットワーク４７を通じてチケット販売予定や商品販売予定のスケジュール情報を外部の企業サーバ４８から書込む記憶領域である。
【００１０】
このように構成すると、イベント情報記憶領域４４に所定のカテゴリに属するイベント情報の書込みを許可するスクリーニング手段４６と、共有情報２３、個人情報２１、及びイベント情報２２を彩色又は明度により各々識別させてユーザ端末のディスプレイ上に表示させる情報識別手段７６とを備えるため、ユーザ本人が希望する商品情報と外部から送信される商品情報をマッチング処理を施し電子手帳へ書込むことができ企業内や自宅や外出先から共有情報記憶領域４３、個人情報記憶領域４５、及びイベント情報記憶領域４４を閲覧することができる。
【００１１】
上記目的を達成するために、請求項２に係る本発明によるネットワーク電子手帳は、例えば、図１及び図２に示すように、ネットワーク４７上のカレンダへスケジュールのタイトル、日時、詳細の項目に区分けしたスケジュール情報を入力し閲覧するネットワーク電子手帳であって、商用目的の共有情報記憶領域４３、個人情報記憶領域４５、及びイベント情報記憶領域４４を有する商用カレンダファイル４２と、私用目的の共有情報記憶領域５３、個人情報記憶領域５４、及びイベント情報記憶領域５２を有する私用カレンダファイル５１と、ネットワーク４７、５７を通じて受信するイベント情報をカテゴリ情報に基づいてスクリーニング処理を施し、商用目的又は私用目的のイベント情報記憶領域に所定のカテゴリに属するイベント情報の書込みを許可するスクリーニング手段４６、５０と、商用目的及び私用目的の共有情報、個人情報、及びイベント情報を合成し、彩色又は明度により共有情報２３、個人情報２１、及びイベント情報２２を識別させ、ユーザ端末のディスプレイ上に表示させる情報識別手段７６と、を備える。
【００１２】
このように構成すると、ネットワーク４７、５７を通じて受信するイベント情報をカテゴリ情報に基づいてスクリーニング処理を施し、商用目的又は私用目的のイベント情報記憶領域に所定のカテゴリに属するイベント情報の書込みを許可するスクリーニング手段４６、５０と、商用目的及び私用目的の共有情報、個人情報、及びイベント情報を合成し、彩色又は明度により共有情報２３、個人情報２１、及びイベント情報２２を識別させ、ユーザ端末のディスプレイ上に表示させる情報識別手段７６と、を備えるので、商用目的及び私用目的の共有情報、個人情報、及びイベント情報を合成し、彩色又は明度により共有情報２３、個人情報２１、及びイベント情報２２を識別させ、ユーザ端末のディスプレイ上に表示させることができる。
【００１３】
上記目的を達成するために、請求項３に係る本発明による請求項１乃至請求項２の何れか１項に記載のネットワーク電子手帳は、例えば、図２及び図３に示すように、共有情報１４、個人情報１５、及びイベント情報２０を、スケジュール情報の日付欄７の日付に基づきユーザ端末のディスプレイ上で所定方向に並んだ日付欄７ａに対応する枠領域に表示させると共に、表示させた共有情報１４ａ、個人情報１５ａ、及びイベント情報２０に隣接する画面領域にスケジュールの出所を識別するマーク２４、２５、２６、２７を表示させるように構成する。
【００１４】
このように構成すると、ユーザ端末のディスプレイ上で所定方向に並んだ日付欄７ａに対応する枠領域に表示させると共に、表示させた共有情報１４ａ、個人情報１５ａ、及びイベント情報２０に隣接する画面領域にスケジュールの出所を識別するマーク２４、２５、２６、２７を表示させるため、スケジュールの種別が目視により容易に確認することができる。
【００１５】
上記目的を達成するために、請求項４に係る本発明によるネットワーク電子手帳のスケジュール予約方法は、例えば、図５に示すように、ユーザから送信された予約コード３０に対応する商品又はサービスの予約処理を遂行し、当該予約処理が完了した段階で、ネットワークを通じて電子手帳サーバ内に記憶されたユーザのカレンダページに商品又はサービスの提供日に対応するカレンダ日付欄３３へ予約完了情報３５を書込むように構成する。
【００１６】
このように構成すると、予約処理が完了した段階で、ネットワークを通じて電子手帳サーバ内に記憶されたユーザのカレンダページに商品又はサービスの提供日に対応するカレンダ日付欄３３へ予約完了情報３５を書込むことができる。
【００１７】
【発明の実施の形態】
以下、本発明の実施の形態を図示例と共に説明する。図１から図８は発明を実施する形態の一例であって、図中、図と同一または類似の符号を付した部分は同一物または相当物を表わし、重複した説明は省略する。
【００１８】
図１は、本発明による第１の実施の形態であるネットワーク電子手帳の模式的な系統図である。ネットワーク電子手帳４０は、例えば、企業内に配置されたローカルエリアネットワークＬＡＮに接続したサーバで構成し、サーバはグループウエアマネージャ４１と、カレンダファイルとしての商用目的（ビジネス）の商用カレンダファイル４２と、情報選別用のカテゴリテーブル４６を備える。
【００１９】
商用目的のカレンダファイル４２は、内部に共有情報記憶領域４３、イベント情報記憶領域４４、個人情報記憶領域４５を有し、共有情報記憶領域４３にはグループウエアマネージャ４１から送信される共有情報を記憶する。イベント情報記憶領域４４には外部の企業サーバ４８からインターネット４７を通じて受信する多数のイベント情報をカテゴリテーブル４６によって希望する情報だけを選別して記憶する。個人情報記憶領域４５にはユーザとしての社員が社内のＬＡＮ経由又は社外のインターネット経由で自由に書込む個人情報を記憶する。
【００２０】
また、社員が個人情報記憶領域４５に書込んだ個人情報は、指定する他の社員の商用カレンダファイル内の共有情報記憶領域へグループウエアマネージャ４１を通じてコピーとして書込まれる。他の社員の指定は、個人情報記憶領域４５に書込んだ個人情報に含まれる他の社員のメッセージＩＤに基づき、デリバリテーブル（ビジネス用）により判定しグループウエアマネージャ４１を経由して他の社員の共用情報記憶領域へ書込まれる。
【００２１】
また、ＬＡＮに接続したサーバは、商用カレンダファイル４２の他に、私用目的のグループウエアマネージャ５６と、カレンダファイルとしての使用目的（プライベート）の私用カレンダファイル５１と、情報選別用のカテゴリテーブル５０を備える。
【００２２】
私用目的のカレンダファイル５１は、内部に共有情報記憶領域５３、イベント情報記憶領域５２、個人情報記憶領域５４を有し、共有情報記憶領域５３にはグループウエアマネージャ５６から送信される共有情報を記憶する。イベント情報記憶領域５２には外部の企業サーバ４９からインターネット５７を通じて受信する多数のイベント情報をカテゴリテーブル５０によって希望する情報だけを選別して記憶する。個人情報記憶領域５４にはユーザとしての社員が社内のＬＡＮ経由又は社外のインターネット経由で自由に書込む個人情報を記憶する。
【００２３】
また、社員が個人情報記憶領域５４に書込んだ個人情報は、指定する他の社員の商用カレンダファイル内の共有情報記憶領域へグループウエアマネージャ５６を通じてコピーとして書込まれる。他の社員の指定は、個人情報記憶領域５４に書込んだ個人情報に含まれる他の社員のメッセージＩＤに基づき、デリバリテーブル（プライベート用）５５により判定しグループウエアマネージャ５６を経由して他の社員の共用情報記憶領域へ書込まれる。
【００２４】
さらに、グループウエアマネージャ５６は個人情報記憶領域５４に書込まれた個人情報を外部の電子メールサーバ（不図示）へインターネット５７を通じて送信することもできる。この場合、外部の電子メールサーバに登録された電子メールアドレスはデリバリテーブル（プライベート）５５に記憶した電子メールアドレスに基づいて送信するように構成する。この電子メールアドレスは社員により自由に追加、削除、編集ができる。
【００２５】
図１を参照して、ネットワーク電子手帳としてのネットワーク電子手帳システム４０の処理フローについて説明をする。先ず、ネットワーク電子手帳システム４０は、ユーザからのアクセスに応答し、ユーザに割り当てられた電子手帳ファイル７６（図７、参照）をユーザ端末への配信準備処理を遂行する。ユーザからのアクセス許諾はＬＡＮ経由の場合には、例えば、ユーザ端末のＩＰアドレスに基づき認証処理を実行してアクセスを許可する。一方、インターネット４７経由の場合はユーザＩＤとパスワードの入力処理により認証を実行しアクセスを許可する。
【００２６】
次に、ネットワーク電子手帳システム４０は、商用カレンダファイル４２と私用カレンダファイル５１の合成処理を実行する。すなわち、商用カレンダファイル４２内部の共有情報記憶領域４３、イベント情報記憶領域４４、個人情報記憶領域４５に書込まれた各情報と私用カレンダファイル５１内部の共有情報記憶領域５３、イベント情報記憶領域５２、個人情報記憶領域５４に書込まれた各情報とをカレンダ日付に分類して各日付欄に対応させて合成表示をするようにフォーマット処理を実行する。このフォーマット処理では、各情報の種別を識別できるように共有情報、イベント情報、個人情報毎に異なる彩色又は明度でディスプレイ画面上に表示するように色コード又はグレースケールコードを付与する。合成されたカレンダ情報は電子手帳ファイル７６に記憶される。
【００２７】
引き続き、ネットワーク電子手帳システム４０は、電子手帳ファイル７６に合成記憶されたカレンダ情報をアクセスしているユーザのユーザ端末としてのパーソナルコンピュータ又は携帯電話機に対応するブラウザ形式の画面情報に変換して返信する。このブラウザ形式の判定は、ユーザ端末から送信されるリクエストヘッダに含まれるブラウザ名とそのバージョンに基づいて決定する。
【００２８】
なお、ネットワーク電子手帳システム４０は、ユーザ端末に返信した画面情報の着信信号を受信することにより、カレンダ情報の送信処理を完了するが、ユーザ端末のディスプレイ画面上に表示されたスケジュール情報に対してユーザからの追加リクエストを受け付ける。
【００２９】
図２は、本発明による第１の実施の形態であるネットワーク電子手帳の模式的なディスプレイ画面の正面図である。ネットワーク電子手帳４０は、ユーザ端末のディスプレイ画面上にカレンダ形式のスケジュール表を表示させる。スケージュール情報は日付、タイトルにより構成し、例えば、図中左端に示すように、「年月日」のタイトル欄４、「ｔｉｔｌｅ」のタイトル欄１０、年月日を示す「２００２／５／２０」の第１の日付欄５、第１の日付欄５の枠内に表示された「営業会議」のタイトル項目１１、「ロックチケット発売日」のタイトル項目１２により１日のカレンダスケジュールを構成する。
【００３０】
「２００２／５／２０」の日付欄５の右側には翌日の「２００２／５／２１」の第２の日付欄６が表示され、第２の日付欄６の枠内に表示された「花子とデート」のタイトル項目１３により１日のカレンダスケジュールを構成する。
【００３１】
「２００２／５／２１」の日付欄６の右側には翌日の「２００２／５／２２」の第３の日付欄７が表示され、第３の日付欄７の枠内に表示された「日本商事訪問」のタイトル項目１４、「Ａプロのミーティング」のタイトル項目１５、「今井氏来社」のタイトル項目１６、「菊花賞」のタイトル項目１７により１日のカレンダスケジュールを構成する。
【００３２】
「２００２／５／２２」の日付欄７の右側には翌日の「２００２／５／２３」の第４の日付欄８が表示され、第４の日付欄８の枠内に表示された「トヨタ試乗会」のタイトル項目１８により１日のカレンダスケジュールを構成する。
【００３３】
「２００２／５／２３」の日付欄８の右側には翌日の「２００２／５／２４」の第５の日付欄９が表示され、第５の日付欄９の枠内に表示された「進捗会議」のタイトル項目１９、「アルバムリリース」のタイトル項目２０により１日のカレンダスケジュールを構成する。
【００３４】
このようにカレンダの日付欄に対応する枠内に複数のスケジュールのタイトル項目を表示することで図示したように５日分のスケジュールを１画面に表示することができる。また、例示した５日分のスケジュールの他に、水平方向に１週間分のスケジュールを並べ、下の段に次週分以降の週間スケージュールを積重ねることにより、１ヶ月分のカレンダ表示を構成することができる。
【００３５】
また、ユーザが自分で書込むスケジュールのタイトル項目２１には、ユーザ本人、家族、親戚、知人等の誕生日を示すケーキの絵（マーク）を表示させ、毎年繰り返してスケジュール表に表示させることもできる。この場合、誕生日のデータは、タイトルを「誕生日」、誕生した人物名「○○」等の詳細な情報を予め入力し個人情報記憶領域に記憶させればよい。
【００３６】
さらに、ユーザが自分で書込むスケジュールのタイトル項目２１には、特定人の卒業日を表示する学校の建物（マーク）を表示させ、繰り返さないスケジュールとしてスケジュール表に表示させることもできる。卒業日のデータは上述したように個人情報記憶領域に記憶させる。
【００３７】
なお、図示したカレンダには曜日が表示されていないが、勿論、曜日情報を日付欄に併記することもでき、土曜日及び日曜日をカラー処理で平日と区別できるように異なる色でディスプレイ上に表示することができる。
【００３８】
図下段には凡表として各情報の種別を示すハッチング（細かい右下がり）ボックス２１、ハッチング（粗い右下がり）ボックス２２、ハッチング（左下がり）ボックス２３が示されているが、この凡表はユーザのディスプレイ上に表示することもでき、省略することもできる。
【００３９】
凡表のハッチングボックス２１は、ユーザ本人が個人情報記憶領域４５又は５４に書込んだスケジュールをディスプレイ上で識別するための標識である。例えば、「花子とデート」のタイトル項目１３、「菊花賞」のタイトル項目１７が個人情報として識別することができる。図示したハッチングはモノクロ及びカラーディスプレイに適用することができ、ハッチングに代えてグレースケール表示やカラー表示でディスプレイ上で識別させるように構成することもできる。
【００４０】
凡表のハッチングボックス２２は、外部からイベント情報記憶領域４４又は５２に書込まれたイベント情報をディスプレイ上で識別するための標識である。例えば、「ロックチケットの販売日」のタイトル項目１２、「トヨタ試乗会」のタイトル項目１８、「アルバムリリース」のタイトル項目２０がイベント情報として識別することができる。図示したハッチングは、グレースケール表示やカラー表示に代えてディスプレイ上で識別させるように構成することもできる。
【００４１】
凡表のハッチングボックス２３は、グループウエアマネージャ４１又は５６が共有情報記憶領域４３又は５３に書込んだ共有情報をディスプレイ上で識別するための標識である。例えば、「営業会議」のタイトル項目１１、「日本商事訪問」のタイトル項目１４、「Ａプロのミーティング」のタイトル項目１５、「今井氏来社」のタイトル項目１６、「進捗会議」のタイトル項目１９が共有情報として識別することができる。図示したハッチングは、グレースケール表示やカラー表示に代えてディスプレイ上で識別させるように構成することもできる。
【００４２】
また、図示したネットワーク電子手帳４０のディスプレイ画面は、水平方向に日付欄を並べ、日付のタイトルの下にスケジュールのタイトル項目を順次並べて表示するように構成したが、本発明はこの表示態様に限定されるものではなく、例えば、垂直方向に日付欄を並べ、日付のタイトルの右又は左にスケジュールのタイトル項目を順次並べて表示するように構成しても同様の効果を得ることができる。
【００４３】
さらに、日付欄７の枠内に表示した複数のタイトル項目１４〜１７を各々罫線により仕切る様に図示したが、本発明はこの罫線で仕切る構成に限定されるものではなく、罫線を省略して空白の改行により複数のタイトル項目を区別させるように構成してもよい。
【００４４】
図３は、本発明による第１の実施の形態であるネットワーク電子手帳の模式的なディスプレイ画面の正面図である。図２のディスプレイ画面に表示された「２００２／５／２２」の日付欄７の年月日を示す「２００２／５／２２」のキャラクタへカーソル又はポインタを移動させてＥｎｔｅｒボタンの押下又はマウスのクリック操作により画面表示が変更された後のディスプレイ画面を示す。
【００４５】
ネットワーク電子手帳４０は、デイリー表示機能によりスケジュールの詳細情報をユーザ端末のディスプレイ画面上に表示させる。例示したデイリー表示画面は、日付欄７ａに「２００２／５／２２」の年月日を表示し、日付欄７ａの枠内に共有情報のタイトル「日本商事訪問」と、アポイントの時刻「１０：３０」と、共有情報の詳細「丸の内北口」で構成するスケジュール情報１４ａを表示する。
【００４６】
また、上記スケジュール情報１４ａの出所であるグループウエアマネージャ４１又は５６を識別する「Ｒ」の英文字をスケジュール情報１４ａの左横の欄に表示し、日本商事訪問のスケジュールがグループウエアマネージャ４１又は５６により書込まれたことをユーザに識別させることができる。
【００４７】
上記日本商事訪問のスケジュールの直下に、次のアポイント時刻のスケジュールとして日付欄７ａの枠内に個人情報のタイトル「Ａプロのミーティング」と、アポイントの時刻「１３：３０」と、個人情報の詳細「森本とＡプロジェクト」で構成するスケジュール情報１５ａを表示する。
【００４８】
また、上記スケジュール情報１５ａの出所であるユーザ本人を識別する「Ｗ」の英文字をスケジュール情報１５ａの左横の欄に表示し、Ａプロのミーティングのスケジュールがユーザ本人により書込んだことをユーザに識別させることができ、「Ｗ」のマークはこのスケジュール情報を森本に送信していることを示している。
【００４９】
すなわち、ユーザ本人が商用カレンダファイル４２内の個人情報記憶領域４５に個人情報を書込むことで、平行してスケジュール情報に含まれる「森本」のキャラクタコードに基づき社員のメッセージＩＤをデリバリテーブルから取得し、グループウエアマネージャ４１がメッセージＩＤを頼りに森本の商用カレンダファイルへスケジュール情報を書込むことができる。
【００５０】
上記Ａプロのミーティングのスケジュールの直下に、次のアポイント時刻のスケジュールとして日付欄７ａの枠内に共有情報のタイトル「今井氏来社」と、アポイントの時刻「１５：００」と、共有情報の詳細「ＣＰの件」で構成するスケジュール情報１６ａを表示し、スケジュール情報の出所を示す「Ｒ」の英文字が左欄に表示されている。
【００５１】
上記今井氏来社のスケジュールの直下に、全日のスケジュールを表示する欄が設けられている。この欄は特にアポイントの時刻を定めいていない終日又は営業時間帯に有効なスケジュール情報を表示する。例示した日付欄７ａの枠内に、個人情報記憶領域５４に書込んだ個人情報のタイトル「菊花賞」と個人情報の詳細「馬券購入」とを結合したスケジュール情報１７ａが表示され、このスケジュール情報１７ａの左欄に識別マークとしての「Ｐ」が表示される。この「Ｐ」マークはユーザ本人が個人情報記憶領域５４に書込んだ情報であることを示している。
【００５２】
本実施の形態では、スケジュール情報の入力は、スケジュール情報の追加ページをユーザ端末のディスプレイ画面上に表示し、日付、アポイント時刻、タイトル、詳細、転送先等の所定の事項を入力ボックス又はドロップメニューから選択し、登録ボタンの選択操作により指定したカレンダファイルへ書込み、カレンダ情報を閲覧する際に日付情報に基づいてカレンダの日付欄に対応させた項目を表示する。
【００５３】
また、スケジュールを表示する順序は上述の如く、アポイントの時刻順に並べて表示し、アポイントの時刻指定のない全日指定のスケジュールについては最後のアポイントの時刻を指定したスケジュールの直下に表示するように構成する。このように構成することで、スケジュールの項目の多い日の日付欄は縦長に表示されるが、固定長の枠の最下段に全日のスケジュールを表示する形式に比して空白になるスペースが減少し１画面に表示するスケジュールの項目数が増加するため、カレンダが見易いという利点がある。
【００５４】
図４は、本発明による第２の実施の形態であるネットワーク電子手帳の模式的なディスプレイ画面の正面図である。図２のディスプレイ画面に表示された「２００２／５／２０」の日付欄５の年月日を示す「２００２／５／２０」のキャラクタへカーソル又はポインタを移動させてＥｎｔｅｒボタンの押下又はマウスのクリック操作により画面表示が変更された後のディスプレイ画面を示す。
【００５５】
ネットワーク電子手帳４０は、デイリー表示機能によりスケジュールの詳細情報をユーザ端末のディスプレイ画面上に表示させる。例示したデイリー表示画面は、日付欄５ａに「２００２／５／２０」の年月日を表示し、日付欄５ａの枠内に共有情報のタイトル「営業会議」と、アポイントの時刻「１０：３０」と、共有情報の詳細「議題は新商品戦略」で構成するスケジュール情報を表示する。また、スケジュール情報の左欄にはユーザ本人が書込んで他の社員にコピーを送信するマーク２５ａである「Ｗ」の英文字が表示されている。
【００５６】
上記営業会議のスケジュールの直下に、全日のスケジュールとして日付欄５ａの枠内に、イベント情報記憶領域５２に書込まれたイベント情報のタイトル「ロックチケット販売日」とイベント情報の詳細「チケットぴあより」とを合成した「ロックチケット販売日チケットぴあより」のスケジュール情報１２ａが表示され、このスケジュール情報１２ａの左欄に識別マークとしての「Ｓ」が表示される。この「Ｓ」マークは外部の企業サーバからインターネット５７を通じて受信し、カテゴリテーブル５０のスクリーニング処理を経てイベント情報記憶領域５２に書込まれたイベント情報であることを示している。
【００５７】
また、ネットワーク電子手帳４０は、ユーザ端末のディスプレイ画面に表示された日付欄５ａの枠内のスケジュール情報１２ａを示す「ロックチケット販売日チケットぴあより」のキャラクタへカーソル又はポインタを移動させてＥｎｔｅｒボタンの押下又はマウスのクリック操作により企業サーバとしてのチケットぴあサーバへハイパーリンクによりアクセスすることができ、予約画面に所定事項を入力し申込みボタンの選択操作により希望するロックチケットの予約の申込みをすることができる。
【００５８】
図５は、本発明による第２の実施の形態であるネットワーク電子手帳の模式的なディスプレイ画面の正面図である。図示したカレンダ画面内の日付欄５〜９は上述した実施形態と同一の構成であるので説明を省略する。
【００５９】
ユーザは、ネットワーク電子手帳にアクセスしてカレンダ情報をユーザ端末のディスプレイ画面上で確認する。アクセスした当日の日付が２００２年５月２０日の場合、図示するように当日の日付欄５が「年月日」のタイトル欄４と「ｔｉｔｌｅ」のタイトル欄１０に隣接して表示される。この状態でユーザ端末は、当日のスケジュールを音声合成プログラムを起動して「ほんじつ　えいぎょうかいぎ」、「ほんじつ　ろっくちけっとはんばいび」のように音声案内をユーザ端末のスピーカから出力する。
【００６０】
また、メールサーバを介して明日のスケジュールを電子メールで受信するように構成してもよい。例えば、「花子とデート」の文字情報を含む電子メールをユーザへ自動送信することで、明日のスケジュールを確認することができる。さらに、カレンダ情報の上方の欄に、テッカー方式で文字上方が水平方向に移動する文字上方ストリームを構成して明日、明後日等の将来のスケジュール自動的に表示させることもできる。
【００６１】
図５の左側には、将来のスケジュールを示すカレンダが表示されている。図示したカレンダには、「２００２／６／１０」の日付欄３３と「ライブ演奏会」のタイトル項目３５、「２００２／６／１１」の日付欄３４と「大阪出張」のタイトル項目が表示されている。
【００６２】
ユーザは、ネットワーク電子手帳にアクセスした当日の「２００２／５／２０」の日付欄５の枠内のイベント情報のタイトルを示す「ロックチケット販売日」のキャラクタへカーソル又はポインタを移動させてＥｎｔｅｒボタンの押下又はマウスのクリック操作により、企業サーバとしてのチケット販売サイト３１へハイパーリンクによりアクセスすることができる。
【００６３】
ユーザは、ユーザ端末のディスプレイ画面上に表示されたチケット販売サイト３１の予約画面に所定事項を入力し申込みボタンの選択操作により、チケットの予約コード３０をインターネットを通じてチケット販売サイト３１へ送信し、ユーザが希望するロックチケットの予約申込みを完了させることができる。
【００６４】
しかる後、ロックチケットが完売又は予約販売期間が経過することにより、チケット販売サイト３１は、インターネットを経由してネットワーク電子手帳４０の私用カレンダファイル５１へ予約販売をしたロックのライブ演奏会のイベント情報３２を書込む処理を実行する。
【００６５】
すなわち、企業サーバとしてのチケット販売サイト３１が、ユーザから送信された予約コード３０に対応する商品又はサービスとしてのロックチケットの予約販売処理を遂行し、予約販売処理が完了した段階で、ネットワークを通じて電子手帳サーバ内に記憶されたユーザの私用カレンダファイル５１のイベント情報記憶領域５２に商品又はサービスとしてのロックライブ演奏会の日に対応するカレンダ日付欄３３の枠内へ予約完了情報としてのライブ演奏会のイベント情報３５を書込むことができる。なお、イベント情報３５の書込みは、上述したロックチケットが完売又は予約販売期間が経過した時点でも、チケットの仮予約受付が完了した時点の何れかのタイミングで実行することができる。
【００６６】
チケット販売サイト３１は、ユーザ端末から入力された予約コード３０に含まれるライブ演奏会コード、ユーザ本人を特定する会員コード、第１希望予約日コード、第２希望予約日コード、指定席コード等の選択肢から販売するチケット番号を決定する。
【００６７】
また、チケット販売サイト３１は、このチケット番号に対応するライブ演奏会の日付、演奏会場、開演時刻、指定席番号、プライベートカテゴリコードの「ライブミュージック」の文字数字情報から予約完了情報を構成し、ＨＴＭＬ形式の電子メール又はテキスト形式の電子メールによりあて先のターゲットファイルをユーザの私用カレンダファイル５１のイベント情報記憶領域５２に指定し予約完了情報をネットワーク電子手帳４０へ送信する。
【００６８】
さらに、エックスエムエル（ＸＭＬ）ｅＸｔｅｎｓｉｂｌｅ　Ｍａｒｋｕｐ　Ｌａｎｇｕａｇｅで記述されたＸＭＬ言語で記述したファイルを用いて予約完了情報に含まれるライブ演奏会の日付、演奏会場、開演時刻、指定席番号、プライベートカテゴリコードの「ライブミュージック」等の項目毎に自己指定のタグ、例えば、＜デート＞、＜マップ＞＜カテゴリ＞等を用いて、ネットワーク電子手帳側で受信したＸＭＬファイルの内容を把握し自動処理することができる。
【００６９】
ネットワーク電子手帳４０は、受信した予約完了情報を解析しカテゴリテーブル５０に予め登録した受信許可カテゴリに属するか否かを判定処理する。受信許可カテゴリに属するときは、イベント情報記憶領域５２に予約完了情報を書込み、ユーザがネットワーク電子手帳を閲覧する際には、「ライブ演奏会」のタイトル項目３５をカレンダへ表示するように構成する。例示した予約完了情報は、「ライブミュージック」のカテゴリに属すため、イベント情報記憶領域５２への書込みが許可される。
【００７０】
図６は、本発明による実施の形態に用いるカテゴリテーブルの入力、編集画面の正面図である。第１のカテゴリテーブル６０は、ユーザの属性情報の一部である行動範囲のカテゴリを記憶する。例えば、埼玉県、千葉県、茨城県、東京都、神奈川県横浜市、神奈川県厚木市、神奈川県川崎市、神奈川県藤沢市等の関東地区の中から任意の地区を選択してユーザの行動範囲を特定する。図示した東京都と神奈川県横浜市には各々右欄に黒丸のマークが入力され、ユーザの行動範囲をマークした地域に限定している。外部から送信されてネットワーク電子手帳４０で受信したイベント情報がマークした地域に関連すると判定された場合にイベント情報記憶領域へ書込む候補として抽出され、マークした地域に無関係なイベント情報は廃棄される。
【００７１】
次に、第２のカテゴリテーブル６２は、ユーザが希望する商用（ビジネス）イベントの種類を記憶する。例えば、セミナ、講演会、ビジネスショー、フェア、ソフト新製品、学会発表、統計情報、求人等の複数のカテゴリから任意のカテゴリを選択してユーザの希望するイベント情報を特定する。図示した講演会とソフト新製品には、各々左欄に黒丸のマークが入力され、ユーザのビジネスカテゴリをマークしたカテゴリに限定している。
【００７２】
地域情報により一次候補として抽出されたイベント情報はこの第２のカテゴリテーブル６２のマークされた情報に基づきスクリーニングされ、講演会とソフト新製品に関連するイベント情報がイベント情報記憶領域４４へ書込まれる。一方、マークしたカテゴリに無関係なイベント情報はこの段階で廃棄される。
【００７３】
さらに、第３のカテゴリテーブル６３は、ユーザが希望する私用（プライベート）イベントの種類を記憶する。例えば、グルメ、インテリア、自転車、バイク、ライブミュージック、クラシックコンサート、新譜発売、歌舞伎等の複数のカテゴリから任意のカテゴリを選択してユーザの希望するイベント情報を特定する。図示したライブミュージックと新譜発売には、各々左欄に黒丸のマークが入力され、ユーザのプライベートカテゴリをマークしたカテゴリに限定している。
【００７４】
地域情報により一次候補として抽出されたイベント情報はこの第３のカテゴリテーブル６３のマークされた情報に基づきスクリーニングされ、ライブミュージックと新譜発売に関連するイベント情報がイベント情報記憶領域５２へ書込まれる。一方、マークしたカテゴリに無関係なイベント情報はこの段階で廃棄される。
【００７５】
このように、予め記憶したカテゴリに属するイベント情報だけを抽出し、カレンダファイル内のイベント情報記憶領域に書込むため、カレンダをユーザ端末のディスプレイ画面に表示した際に必要なイベント情報が日付に関連付けられて表示され、イベントが集中する日程を一見して把握することができ、スケジュールの管理が容易となる。
【００７６】
上記スクリーニング処理は、サーバにより自動選別してもよく。ネットワーク電子手帳のサービスをアウトソーシングする場合には、外部の業者に委託してマニュアル操作でイベント情報をスクリーニング処理してもよい。何れの手段を用いてもユーザが必要とするイベント情報だけをイベント情報記憶領域へ書込み記憶させ閲覧させることができる。
【００７７】
また、イベント情報を提供する企業は、ネットワーク電子手帳システムへ参加し、企業サーバで提供する商品又はサービスの販売促進に利用することができ、質の高いイベント情報のスクリーニング処理によりユーザが真に必要とする情報だけをカレンダの日付に対応させて提供することができるため、ユーザの手間と時間の浪費を飛躍的に減少させることができる。
【００７８】
したがって、本発明のネットワーク電子手帳システムを利用するユーザは利便性を認識して急速に増加し、イベント情報を提供する企業は商品又はサービスの利用会員を飛躍的に増加させることができる。
【００７９】
図７は、本発明による実施の形態であるネットワーク電子手帳の模式的なブロック図である。ネットワーク電子手帳としてのネットワーク電子手帳システムは、ネットワークとしてのインターネット７０に接続するサーバ７２と、記憶装置７４を備える。
【００８０】
記憶装置７４はサーバ７２に接続し、内部にビジネス用とプライベート用の２種類の記憶領域を有し、ビジネスカレンダファイル用のグループウエアマネージャから送信される共有情報を記憶する共有情報記憶領域４３と、外部から受信したイベント情報を記憶するビジネス用のイベント情報記憶領域４４と、ユーザ本人が個人情報を書込むビジネス用の個人情報記憶領域４５を備える。
【００８１】
また、記憶装置７４は、プライベートカレンダファイル用のグループウエアマネージャから送信される共有情報を記憶する共有情報記憶領域５３と、外部から受信したイベント情報を記憶するプライベート用のイベント情報記憶領域５２と、ユーザ本人が個人情報を書込むプライベート用の個人情報記憶領域５４を備える。
【００８２】
さらに、記憶装置７４は、ビジネスカレンダファイルの内容とプライベートカレンダファイルの内容を日付を対応させて合成したスケジュール情報を記憶する電子手帳ファイル７６を有する。
【００８３】
インターネット７０に接続された企業サーバ８４、企業サーバ８７、企業サーバ９０は、イベント情報をＨＴＭＬ形式、ＸＭＬ形式、テキスト形式の何れかの形式の電子メールによりインターネット７０を経由してサーバ７２へ送信する。サーバ７２は、受信した電子メールを解析し、カテゴリテーブルの情報に基づきカレンダファイル内のイベント情報記憶領域４４又は５２へ記憶するか否かを判定する。判定結果が一致したときはイベント情報記憶領域４４又は５２へのイベント情報の書込みを許可する。
【００８４】
サーバ７２は、ＬＡＮ経由でユーザからのアクセスに応答し電子手帳を閲覧させ、新規のスケジュールの入力や既入力スケジュールの編集を処理する。また、ユーザ本人が書込んだ個人情報を他の社員へグループウエアマネージャ経由で転送する機能も有する。
【００８５】
また、ユーザが自宅に設置したパーソナルコンピュータ８２からインターネット７０を経由してサーバ７２へアクセスするか、外出先で携帯電話機７８から通信キャリア企業の無線基地局８０とインターネット７０を経由してサーバ７２へアクセスすることもできる。このようにカレンダ情報を１つのサーバ７２で管理することにより、カレンダ情報を複数の端末に記憶させる必要がなくハードウエアの省力化が図れるとともに、職場や自宅や外出先の情報処理機器に各々共通のカレンダ情報を分散して記憶し、同期処理を実行する煩わしさから開放することができる。
【００８６】
ユーザは、サーバ７２を通じてカレンダ情報を閲覧し、興味の有る又は必要なイベント情報源にインターネット７０を通じてアクセスし、上述したチケットの予約や馬券の購入や音楽アルバムの購入等を手配することができ、手配が完了したイベントの情報を企業サーバから返信されるイベント情報に基づいてカレンダ日付に対応させて自動的に記憶させることができるため、従来に比してカレンダ管理の省力化が図れる。
【００８７】
ユーザはイベント情報源にアクセスするため、カレンダ情報のハイパーリンク機能を用いて、図示した企業サーバとしてのＡ社のウエブサーバ８４の深層リンクの広告ページ８５又は会社案内ページ８６にユーザ端末を接続し商品又はサービスの閲覧をすることができ、所定の事項を入力することにより希望するチケット等を予約処理する。また、企業サーバとしてのＢ社ウエブサーバ８７と深層リンクの広告ページ８８又は会社案内ページ８９にアクセスし同様の予約処理を実行することもでき、企業サーバとしてのＣ社ウエブサーバ９０と深層リンクの広告ページ９１又は会社案内ページ９２にアクセスし同様の予約処理を実行することもできる。
【００８８】
上記広告ページをアクセスしたユーザのユ−ザ端末には、企業サーバの広告が表示されるが、表示される広告情報は、アクセスした時点から所定時間としての数秒間、広告画像がユーザ端末のディスプレイ上に拡大表示させ、その後、画面の１０分の１程度の面積を占める通常の広告情報に変化させることができる。また、広告ページをアクセス中のユーザ端末のディスプレイ上に広告情報を回転させたり、縦横斜めの何れかの方向に毎秒３センチメートルの速度で移動するように構成することもできる。
【００８９】
図８は、本発明による実施の形態であるネットワーク電子手帳のスケジュール予約方法のフローチャート図である。ネットワーク電子手帳のスケジュール予約は、ユーザ端末からのアクセスによりスタート処理１００から開始される。
【００９０】
ネットワーク電子手帳は、ユーザへユーザＩＤとパスワードの入力を要求し、ユーザはステップ１０１でユーザＩＤとパスワードの認証情報を入力する。ネットワーク電子手帳は受信した認証情報に基づきユーザのアクセスを許可し、ステップ１０３へ処理を分岐させるが、認証情報が誤りの場合は処理をステップ１１２へ分岐しカレンダファイルへのアクセスを拒否する。
【００９１】
ステップ１０３は、認証が許可されたユーザに対してカレンダファイルの閲覧処理を実行する。この閲覧処理に先立ち、外部から入力されたイベント情報１０５をステップ１０６でカテゴリテーブル情報を取得し、後続のステップ１０７によりイベント情報とカテゴリテーブル情報とを比較しスクリーニング処理を施し、一致（ヒット）するときはステップ１０３のマージ処理に移行し、不一致（ＮＯ）の場合はイベント情報を廃棄してステップ１１２へ分岐する。
【００９２】
また、同時平行的にグループウエアマネージャ１０４から入力された共有情報をステップ１０３で取得する。ステップ１０３は、イベント情報と共有情報と個人情報をマージ（合成）処理し日付に対応させたスケジュール情報をユーザに閲覧させる。
【００９３】
ネットワーク電子手帳の処理は、ステップ１０８へ移行しスケジュール情報を閲覧しているユーザから新規又は更新するスケジュール情報の入力処理を実行する。次に、ステップ１０９に移行し、ユーザが入力した個人情報がグループウエアマネージャが管理する個人情報か否かを判定する。判定結果に基きグループウエアマネージャが他のユーザに個人情報のコピーを転送するときは、ステップ１１１へ分岐してデリバリテーブルを参照し転送先を特定しＬＡＮ経由又はインターネット経由で個人情報のコピーを転送処理し、ステップ１１０へ移行する。
【００９４】
一方、グループウエアマネージャが介在しない個人情報と判定された場合は、ステップ１１０に分岐し、入力された個人情報を個人情報記憶領域へ記憶する手帳書込処理を遂行する。また、グループウエアマネージャが管理する個人情報もステップ１１０により個人情報記憶領域へ記憶する手帳書込処理を遂行する。手帳書込処理が完了した段階で処理はステップ１１２へ移行しネットワーク電子手帳のスケジュール予約処理を終了させることができる。
【００９５】
こうして、ユーザは、私用と商用の電子手帳を使い分ける煩雑さから開放され、ビジネス用のアナウンスや書込みをグループウエアマネージャを経由して自動的に共有することができ、ユーザが興味の有るカテゴリのイベント情報を自動的にスクリーニングしてからユーザ毎に提供される電子手帳のカレンダへ書込むことができる。
【００９６】
また、職場と自宅と外出先から共用できるネットワーク電子手帳を利用することができ、私用と商用のスケジュール情報を合成してユーザ端末のディスプレイ画面に表示することができる。
【００９７】
さらに、上記実施の形態ではカレンダ情報の提供について説明をしたが、カレンダの他にユーザ本人の日記、音楽ファイル、文学ファイル、アドレス帳、サービスマークやクーポンの提供、ケータリングのような商品の出前注文などのサービスをネットワーク電子手帳により一元的に管理し提供することもできる。
【００９８】
尚、本発明のネットワーク電子手帳は、上述の図示例にのみ限定されるものではなく、本発明の要旨を逸脱しない範囲内において種々変更を加え得ることは勿論である。例えば、ネットワーク電子手帳を用いて、ホテルの予約、航空券の予約、病院の予約等のインターラクティブな情報交換によりインターネット上で商取引を完結させることができる。
【００９９】
【発明の効果】
以上、説明したように本発明の請求項１乃至請求項４に記載のネットワーク電子手帳及びスケジュール予約方法によれば、グループウエア、知人、個人のスケジュール管理が一元的に管理するインターネットを利用したネットワーク電子手帳を提供する、という優れた効果を奏し得る。
【図面の簡単な説明】
【図１】本発明の実施の形態であるネットワーク電子手帳の模式的な系統図である。
【図２】本発明の実施の形態であるネットワーク電子手帳の模式的なディスプレイ画面の正面図である。
【図３】本発明の実施の形態であるネットワーク電子手帳の模式的なディスプレイ画面の正面図である。
【図４】本発明の実施の形態であるネットワーク電子手帳の模式的なディスプレイ画面の正面図である。
【図５】本発明の実施の形態であるネットワーク電子手帳の模式的なディスプレイ画面の正面図である。
【図６】本発明の実施の形態に用いるカテゴリテーブルの模式的なディスプレイ画面の正面図である。
【図７】本発明の実施の形態であるネットワーク電子手帳の模式的なブロック図である。
【図８】本発明の実施の形態であるネットワーク電子手帳のフローチャート図である。
【符号の説明】
４０　　　ネットワーク電子手帳
４１　　　グループウエアマネージャ
４２　　　商用カレンダファイル
４３　　　共有情報記憶領域
４４　　　イベント情報記憶領域
４５　　　個人情報記憶領域
４６　　　カテゴリテーブル
４７　　　インターネット
４８　　　企業サーバ
４９　　　企業サーバ
５０　　　カテゴリテーブル
５１　　　私用カレンダファイル
５２　　　イベント情報記憶領域
５３　　　共有情報記憶領域
５４　　　個人情報記憶領域
５６　　　グループウエアマネージャ
５７　　　インターネット
７０　　　インターネット
７２　　　サーバ
７４　　　記憶装置
７６　　　電子手帳ファイル
７８　　　携帯電話機
８０　　　無線基地局
８２　　　パーソナルコンピュータ
【図１】
2004054799.tif 000003
【図２】
2004054799.tif 000004
【図３】
2004054799.tif 000005
【図４】
2004054799.tif 000006
【図５】
2004054799.tif 000007
【図６】
2004054799.tif 000008
【図７】
2004054799.tif 000009
【図８】
2004054799.tif 000010